(57)【要約】【課題】  ＩＣカードの不使用時において外部リーダ／ライタからのアクセスがある場合にはユーザに適切に報知する携帯端末装置を提供する。【解決手段】  外部Ｒ／Ｗ機能付機器からの読み取りが発生した（ステップＳ０）場合には、ＩＣカード部２０のセキュリティロックが解除されているかどうかが確認される（ステップＳ１）。セキュリティロックが解除されていないと判断される場合には不正使用と認知する（ステップＳ２）。そして、不正使用であることをユーザに対して通知する（ステップＳ３）。【選択図】        図３
2006339959.tif 000002
【特許請求の範囲】
【請求項１】
外部リーダ／ライタとの間で無線通信を行なう非接触型ＩＣカード部と、
ユーザの操作入力に応答して前記非接触型ＩＣカード部の使用モードおよび非使用モードのいずれか一方を設定する制御部と、
前記制御部の指示に応答して情報を出力する出力部とを備え、
前記非接触型ＩＣカード部は、前記外部リーダ／ライタとの間で無線電波を受信した場合には前記制御部に通知し、
前記制御部は、前記非接触型ＩＣカード部の設定が前記非使用モードの場合には、前記通知に応答して前記出力部に報知情報を出力するように指示する、携帯端末装置。
【請求項２】
前記出力部は、前記ユーザに対して前記報知情報である光を発光する発光手段、前記ユーザに対して前記報知情報である文字情報を表示する表示手段、前記ユーザに対して前記報知情報である音を出力する音出力手段、前記ユーザに対して前記報知情報として前記携帯端末装置を振動させる振動手段の少なくとも１つを含む、請求項１記載の携帯端末装置。
【請求項３】
前記非接触型ＩＣカード部は、指示に応答して前記外部リーダ／ライタの機能を有する他の非接触ＩＣカードとの間で無線通信を行なって前記非接触ＩＣカードのＩＤを要求するリーダ／ライタ部を含み、
前記制御部は、前記非接触型ＩＣカード部の設定が前記非使用モードの場合には、前記通知に応答して前記リーダ／ライタ部に対して前記他の非接触ＩＣカードのＩＤを要求するように指示する、請求項１記載の携帯端末装置。
【発明の詳細な説明】
【技術分野】
【０００１】
本発明は、外部リーダ／ライタとの間で無線通信によりカード利用通信を行なうことができる非接触型ＩＣカードを内蔵した携帯端末装置に関する。
【背景技術】
【０００２】
現在、ＩＳ０１４４４３等で規格化が進んでいる非接触型ＩＣカードを用いれば、駅の改札機、自動販売機、店舗端末、等に設置された外部読み取り／書き込み装置（以下、外部リーダ／ライタ（Ｒ／Ｗ）という）にＩＣカードをかざすだけで、カード利用が行なえる。具体的には、電子マネーや公共交通機関のプリペイドカード、社員証、学生証、入退室管理のＩＤカード等の機能を併せ持つＩＣカードを作ることが可能である。これらのデータは、ＩＣカード内で独立に管理することができ、個別のアクセス権を設定することにより複数のサービス間で安全な相互運用が可能となっている。
【０００３】
一方、現在、急速に普及した携帯電話機は常時携帯するものであり、これに非接触型ＩＣカード機能が付属すれば便利である。携帯電話機のような携帯端末装置（以下、携帯端末という）に非接触型ＩＣカードを組み込んで携帯端末をＩＣカードとして使用する際には、携帯端末を外部Ｒ／Ｗにかざすといった行為が必要となる。
【０００４】
しかしながら、非接触ＩＣカード自体にはユーザに対して光や音などの出力を行なうための手段は備えられていないためカード機能が正しく動作しているのかを携帯端末側でユーザが確認する手段がない。
【０００５】
特開２００３−６０７４８号公報においては、非接触型ＩＣカードを内蔵する携帯端末装置において、使用時にユーザに通知する方式が開示されている。
【特許文献１】特開２００３−６０７４８号公報
【発明の開示】
【発明が解決しようとする課題】
【０００６】
一方、近年においては、従来設置されていた固定型の外部リーダ／ライタが小型化されて携帯可能な外部リーダ／ライタも登場してきている。
【０００７】
したがって、従来においては、ユーザの意思に応じて固定型の外部リーダ／ライタにユーザが非接触ＩＣカードをかざす行為により非接触ＩＣカードの情報の読み取りが行なわれていたが、第３者が携帯可能な外部リーダ／ライタを用いてユーザの意思に反して非接触ＩＣカードの情報の読み取りを実行する場合も考えられる。
【０００８】
このような非接触ＩＣカードの不使用時においても、外部リーダ／ライタからのアクセスが合った場合にはユーザに通知しなければユーザの知らない間に非接触ＩＣカードの情報が読み取られる可能性がある。
【０００９】
本発明は、上記のような問題を解決するためになされたものであって、非接触ＩＣカードの不使用時において外部リーダ／ライタからのアクセスがある場合にはユーザに適切に報知する携帯端末装置を提供することを目的とする。
【課題を解決するための手段】
【００１０】
本発明に掛かる携帯端末装置は、外部リーダ／ライタとの間で無線通信を行なう非接触型ＩＣカード部と、ユーザの操作入力に応答して非接触型ＩＣカード部の使用モードおよび非使用モードのいずれか一方を設定する制御部と、制御部の指示に応答して情報を出力する出力部とを備える。非接触型ＩＣカード部は、外部リーダ／ライタとの間で無線電波を受信した場合には制御部に通知する。制御部は、非接触型ＩＣカード部の設定が非使用モードの場合には、通知に応答して出力部に報知情報を出力するように指示する。
【００１１】
好ましくは、出力部は、ユーザに対して報知情報である光を発光する発光手段、ユーザに対して報知情報である文字情報を表示する表示手段、ユーザに対して報知情報である音を出力する音出力手段、ユーザに対して報知情報として携帯端末装置を振動させる振動手段の少なくとも１つを含む。
【００１２】
好ましくは、非接触型ＩＣカード部は、指示に応答して外部リーダ／ライタの機能を有する他の非接触ＩＣカードとの間で無線通信を行なって非接触ＩＣカードのＩＤを要求するリーダ／ライタ部を含む。制御部は、非接触型ＩＣカード部の設定が非使用モードの場合には、通知に応答してリーダ／ライタ部に対して他の非接触ＩＣカードのＩＤを要求するように指示する。
【発明の効果】
【００１３】
本発明に係る携帯端末装置は、非接触型ＩＣカード部において、外部リーダ／ライタとの間で無線電波を受信した場合には制御部に通知して、非接触型ＩＣカード部の設定が非使用モードの場合には、出力部に報知情報を出力するように指示する。  これにより、ＩＣカードの不使用時において外部リーダ／ライタからのアクセスがある場合にはユーザに適切に報知することができ、たとえば、不正なアクセスが行なわれた場合であってもユーザがすぐに認知することが可能である。
【発明を実施するための最良の形態】
【００１４】
以下、この発明の実施の形態について図面を参照しながら詳細に説明する。なお、図中同一または相当部分には同一符号を付し、その説明は繰返さない。
【００１５】
図１は、本発明の実施の形態に従う非接触型ＩＣカード機能を実装した携帯電話機１のブロック構成図である。
【００１６】
図１を参照して、本実施の形態に従う携帯端末装置１は、携帯電話機１全体を制御する制御部５と、デジタル信号処理部１０と、音声出力部１１と、表示部１２と、操作部１３と、バイブレータ部１４と、ＬＥＤ部１５と、スピーカ１６と、ＲＦ入出力部１７と、カメラ部１８とアンテナ１９と、非接触型ＩＣカード部（以下、単にＩＣカード部とも称する）２０とを備える。
【００１７】
制御部５は、ＣＰＵおよび各種機能を実現するためのプログラム等を格納したメモリで構成され、操作部１３からのユーザからの操作指示に応答して所定の機能を実行するために携帯電話機１を構成する各構成部品に対して制御指示する。
【００１８】
ＲＦ入出力部１７は、直交変調器、ゲインアンプ、パワーアンプ、ダイバーシティー、ミキサー、ＩＦ復調器等で構成され、アンテナ１９を介して電波受信して受信信号処理してデジタル信号処理部１０に出力するとともに、デジタル信号処理部１０からの送信信号を受けてアンテナ１９を介して電波送信するための送信信号処理を実行する。
【００１９】
デジタル信号処理部１０は、制御部５の指示に応答してＲＦ入出力部１７に対する送受信信号について所定のデジタル信号処理を実行する。具体的には、ＤＳＰ（Digital Signal Processor）を中心とした畳み込み符号化、スロットインターリーブ、遅延検波、畳み込み復号化、等の専用回路で構成されてデジタル音声信号のエンコード、および、デジタル音声信号へのデコード等を実行する。
【００２０】
音声出力部１１は、Ｄ／Ａ変換器、フィルタ、スピーカアンプ等で構成され、受信したデジタル音声信号に基づいてスピーカ１６を駆動する。
【００２１】
表示部１２は、ＬＣＤドライバ、ＬＣＤ表示デバイス、等で構成され、制御部５からの指示に応答してユーザに対して文字、図形、記号等の文字情報を提供する。
【００２２】
操作部１３は、キーボード、カーソルキー等で構成され、ユーザの外部入力操作に対応する所定機能を実行するように制御部５に入力指示する。
【００２３】
バイブレータ部１４は、制御部５からの指示に応答して電話やメールの着信を知らせる等のために携帯電話機１に対して微振動を与える。
【００２４】
発光ダイオード（以下、ＬＥＤ）部１４は、制御部５からの指示に応答して電話やメールの着信を知らせる等のために発光信号を出力する。
【００２５】
カメラ部１８は、制御部５からの指示に応答して外部の物体を撮像して画像情報を取得する。
【００２６】
ＩＣカード部２０は、制御部５に接続された、非接触型ＩＣカードチップにより構成されるＩＣカードユニット２５およびこれに接続されたアンテナ３０とを含む。
【００２７】
ＩＣカードユニット２５は、主として、このＩＣカードの動作を制御する制御プログラムやデータを格納するメモリ（ＭＥＭ）２７と、アンテナ３０を介して外部Ｒ／Ｗとの間で無線通信を行なうためのリーダ／ライタ部２８と、ＩＣカードユニット２５全体の制御を行なうＣＰＵ（制御手段）２１とを含む。
【００２８】
ＩＣカードユニット２５は、接続インタフェースを介して制御部５に接続される。制御部５からの指示に基づいてＩＣカードユニット２５は制御可能な状態となっている。
【００２９】
リーダ／ライタ部２８は、制御部５からの指示に応答して外部リーダ／ライタあるいは他のＩＣカードに対して情報の読み出しあるいは情報の書き込みを実行する。
【００３０】
また、ＩＣカードユニット２５のＣＰＵ２６は、制御部５からの指示に応答して外部リーダ／ライタからのアクセスを可能とする使用モード（外部からのアクセスをユーザに報知しない）あるいは外部リーダ／ライタからのアクセスを拒否する不使用モード（外部からの不正アクセスをユーザに報知する）に設定する。すなわち、制御部５は、ＩＣカード部２０に対して不使用モードに設定することが可能である。例えばユーザは、ＩＣカード部２０に関する設定画面を表示部に呼び出して操作部１３を用いて設定が可能であるものとする。具体的には、ユーザがＩＣカード部２０に関する設定画面を見ながら操作部１３を用いて不使用モードを設定するか解除するか、オンあるいはオフの選択動作を実行することにより実現可能である。
【００３１】
なお、前述した不使用モードとは、ユーザがＩＣカード部を使用する意思がないことを携帯端末に設定することであり、このときの外部リーダ／ライタからのアクセスを不正として報知するが、このモードの時は非接触ＩＣカード自体を使用不能とすることもできる。以下では、不使用モードにした場合の状態を（非接触ＩＣカードが使用可能あるいは使用不可に関わらず）セキュリティロックと表現する。
【００３２】
本例においては、上記方式によりセキュリティロックを掛けるあるいは解除する方式として説明するがこれに限られずたとえば、所定のキーを押下することによりセキュリティロックが解除され、所定のキーが押下されていないときには、セキュリティロックを掛けるように設定することも可能である。あるいは、たとえば、いわゆる折り畳み式の携帯電話機においては、携帯電話機を折り畳んだ状態においては、セキュリティロックを掛けるように設定し、開いた状態にすることによりセキュリティロックを掛けるように設定することも可能である。あるいはその逆に設定することも可能である。
【００３３】
なお、ＩＣカード部２０は、外部Ｒ／Ｗ機能付機器との間でカード利用通信を実行する。具体的には、ＩＣカード部２０は、アンテナ３０を介して外部Ｒ／Ｗ機能付機器からのアクセスを受ける。すなわち読み取りあるいは書込のためのアクセス信号を受信する。その際には、ＩＣカード部２０は、アンテナ３０を介して受信したアクセス信号を受信した場合、ＣＰＵ２６は、接続インタフェースを介してアクセス信号を制御部５に伝達する。後述するが制御部５は、ＣＰＵ２６からのアクセス信号の受信によりＩＣカード部２０に対してセキュリティロックが掛けられているか解除されているかどうかを判断するものとする。
【００３４】
図２は、本発明の実施の形態に従う携帯電話機１の外観構成図である。
図２（ａ）に示されるように携帯電話機１の表面側には表示部１２、操作部１３、ＬＥＤ部１５およびアンテナ１９が配置されている。図２（ｂ）に示されるように携帯電話機１の裏面側には、カメラ部１８およびスピーカ１６が配置されている。さらに、ＩＣカード部２０が内蔵されており、携帯電話機１の裏面側を外部Ｒ／Ｗ機能付機器と近づけることにより通信が可能な状態とされる。これらの位置関係は必ずしも図示と同じである必要はない。
【００３５】
次に、図３のフローチャート図を用いて本発明の実施の形態に従う外部リーダ／ライタからのアクセスが合った場合にユーザに通知する方式について説明する。
【００３６】
図３を参照して、外部Ｒ／Ｗ機能付機器からの読み取りが発生した（ステップＳ０）場合には、次のステップＳ１に進む。ステップＳ１においては、ＩＣカード部２０のセキュリティロックが解除されているかどうかが確認される（ステップＳ１）。
【００３７】
ここで、ＩＣカード部２０に対してセキュリティロックが解除されているかどうかは、一例として制御部５からの指示に応答して使用モード／不使用モードのいずれに設定されているかを確認することにより実現可能である。また、たとえば、所定のキーが押下されている場合にセキュリティロックが解除される方式の場合には、所定のキーが押下されているかどうかを確認することにより実現可能である。
【００３８】
ステップＳ１においてセキュリティロックが解除されていると判断される場合には正常使用と認知する（ステップＳ４）。そして、外部Ｒ／Ｗ機能付機器からのＩＣカード部に対して情報の読取／書込が実行される（ステップＳ５）。
【００３９】
一方、セキュリティロックが解除されていないと判断される場合には不正使用と認知する（ステップＳ２）。そして、不正使用であることをユーザに対して通知する（ステップＳ３）。
【００４０】
そして、ステップＳ３において不正使用であることを通知する方式として本例においては、４つの出力形式について説明する。たとえば、視覚的出力手段の一種である発光手段としてのＬＥＤ部１５を用いることが可能である。例えば、ＬＥＤ部１５において、制御部５は、不正使用であると判断される場合には、点灯または点滅等の発光動作を行なわせるように指示することができる。
【００４１】
また、聴覚的出力手段の一種である音出力手段としてのスピーカ（またはブザー）１６を用いることができる。たとえば、音声出力部１１において、制御部５は、不正使用であると判断される場合には、所定の警告音あるいは警告メロディの発生動作を行なわせるように指示することができる。
【００４２】
また、視覚的出力手段の一種である表示手段としての表示部１２を用いることが可能である。たとえば、表示部６において、制御部５は、不正使用であると判断される場合には、特定のテキスト、静止画または動画等の表示動作を実行するように指示することができる。
【００４３】
さらには、触覚的出力手段である振動手段としてのバイブレータ部１４を用いることが可能である。たとえば、バイブレータ部１４において、制御部５は、不正使用であると判断される場合には、所定の振動動作を実行するように指示することができる。
【００４４】
なお、不正使用であると判断される場合に通知手段としてどの出力手段を用いるかどうかは、任意であり、複数種類を組み合わせて併用してもよいし一種類を用いて通知するように設定することも可能である。
【００４５】
なお、発光部は電話やメールの着信用のＬＥＤとして用いられる点について説明したが、この限りではなく、例えば通知用の専用のＬＥＤ等を設けることも可能である。また、これ以外にも、操作部の操作ボタン（操作キー）を光らせるようにすることも可能である。
【００４６】
また、上記の例においては、不正使用であると判断される場合には、単に通知する場合について説明したが、たとえば不正使用であると判断される場合に制御部５がカメラ部１８を駆動して撮像することにより不正使用者を特定するようにすることも可能である。
【００４７】
あるいは、制御部５は、不正使用であると判断される場合には、ＩＣカードユニット２５に指示して、リーダ／ライタ部２８を用いて逆に外部Ｒ／Ｗ機能付機器のＩＣカード部に対してアクセスして外部Ｒ／Ｗ機能付機器のＩＣカード部のＩＤ（identification）情報を読み取るように読出動作（要求）を実行することも可能である。
【００４８】
以上、本発明の好適な実施の形態について説明したが、上記で言及した以外にも、種々の変形、変更が可能である。例えば、上記では携帯電話機について説明したが、本発明はこれに限定されるものではなく、ＰＤＡ（Personal Digital Assistant）、メール端末、小型パーソナルコンピュータ、ゲーム機等の任意の携帯端末装置に適用することも可能である。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】本発明の実施の形態に従う非接触型ＩＣカード機能を実装した携帯電話機１のブロック構成図である。
【図２】本発明の実施の形態に従う携帯電話機１の外観構成図である。
【図３】本発明の実施の形態に従う外部リーダ／ライタからのアクセスが合った場合にユーザに通知する方式について説明するフローチャート図である。
【符号の説明】
【００５１】
１  携帯電話機、５  制御部、１０  デジタル信号処理部、１１  音声出力部、１２  表示部、１３  操作部、１４  バイブレータ部、１５  ＬＥＤ部、１６  スピーカ、１７  ＲＦ入出力部、１８  カメラ部、１９  アンテナ、２０  非接触型ＩＣカード部、２５  ＩＣカードユニット、２６  ＣＰＵ、２７  メモリ、２８  Ｒ／Ｗ、３０  アンテナ。
【図１】
2006339959.tif 000003
【図２】
2006339959.tif 000004
【図３】
2006339959.tif 000005